(57)【特許請求の範囲】
【請求項１】
ファンホイール（２）と、該ファンホイールを駆動するブラシレス直流モータ（４）とを有する、プリント配線板に直接配置する程度の小型ファンユニット（１）であって、
無帰還型の永久磁石外部ロータ（６）と、
永久磁石外部ロータ（６）に接続されたロータシャフト（３０）と、
ロータシャフト（３０）を軸方向に一方向支持するためのスラストベアリング（３４）と、
単相リングコイル（１６）を備えた内部ステータ（１４）と、を備え
永久磁石外部ロータ（６）の起動位置に作用する少なくとも１つの位置決め磁石（８）が設けられており、
内部ステータ（１４）と永久磁石外部ロータ（６）との間にロータシャフト（３０）をスラストベアリング（３４）の方へ引き寄せる軸方向のロータ保持力（Ｆ）を形成するため、軸方向オフセット（Ｖ）が形成されている、
ことを特徴とする小型ファンユニット。
【請求項２】
内部ステータ（１４）と永久磁石外部ロータ（６）との間の軸方向オフセット（Ｖ）の大きさは磁気特性に依存して次のように選定されている、すなわち、永久磁石外部ロータ（６）が軸方向加速度（ａ）により加速され、該加速度が重力加速度（ｇ）の約４から約７倍の値に相当するように選定されている、請求項１記載の小型ファンユニット。
【請求項３】
内部ステータ（１４）は歯合極式ステータであって、
歯合極式ステータ（１４）と永久磁石外部ロータ（６）との間の軸方向オフセット（Ｖ）は、歯合極式ステータ（１４）の軸長の約４０から約６０％のオーダーである、請求項１または２記載の小型ファンユニット。
【請求項４】
歯合極式ステータ（１４）は、自身と同軸のリングコイル（１６）を有し、
軸方向に対向した２つの歯合磁極片（１８）はそれぞれ少なくとも２つの歯合極（２０）を有している、請求項３記載の小型ファンユニット。
【請求項５】
リングコイル（１６）は二重巻きで巻回されており、作動巻線とセンサ巻線を有し、
制御回路が設けられており、
該制御回路は、ロータ位置に依存して誘導されるセンサ巻線の信号に依存して作動巻線を単パルスで制御する、請求項４記載の小型ファンユニット。
【請求項６】
小型ファンユニットの外側に設けた制御回路と接続するための接点要素（Ｋ１ないしＫ６）を有している、請求項５記載の小型ファンユニット。
【請求項７】
歯合極（２０）は、少なくとも２つのスリット（２４）により分割されている、請求項１から６までのいずれか１項記載の小型ファンユニット。
【請求項８】
歯合磁極片（１８）は、ヒステリシスの小さい材料である、３０から８０％ニッケルを含む軟磁性ニッケル−鉄合金からなる、請求項４から７までのいずれか１項記載の小型ファンユニット。
【請求項９】
歯合磁極片（１８）は、保磁力が４から１０Ａ／ｍの領域にある材料からなる、請求項４から８までのいずれか１項記載の小型ファンユニット。
【請求項１０】
ロータ（６）は外部ロータとして構成されるとともに、ほぼ中空円筒状の収容部分（２６）をリング状の永久磁石ロータマグネット（２８）に対して有している、請求項１から９までのいずれか１項記載の小型ファンユニット。
【請求項１１】
ロータマグネット（２８）は、可塑性成型可能および／または合成樹脂ボンドフェライトマグネットから形成される、請求項１から１０までのいずれか１項記載の小型ファンユニット。
【請求項１２】
ロータ（６）はファンホイール（２）と一体的に構成されている、請求項１から１１までのいずれか１項記載の小型ファンユニット。
【請求項１３】
ファンホイール（２）は、実質的に半径方向に配置された羽根（３６）を備えた半径方向回転ホイールとして構成されている、請求項１から１２までのいずれか１項記載の小型ファンユニット。
【請求項１４】
ケーシング（１０）が、空気吸入口（３８）と、吹出し口（４０）とを有している、請求項１から１３までのいずれか１項記載の小型ファンユニット。
【請求項１５】
吸入口（３８）および／または吹出し口（４０）の空気流動領域には電気温度センサ（４２）が配置されている、請求項１４項記載の小型ファンユニット。
【請求項１６】
ファンホイール（２）は、空気吸入口（３８）と同軸に、かつ、空気吸入口（３８）の近傍に配置され、空気吸入口（３８）の面積よりも半径方向に突出している、請求項１４または１５記載の小型ファンユニット。
【請求項１７】
ステータのリングコイル（１６）を接続するための複数の接点要素（Ｋ１ないしＫ６）を含む接点セット（Ｋ）を有し、電気温度センサ（４２）が接点セット（Ｋ）の要素Ｋ１とＫ６に固定されるとともに電気的に接続されている、請求項１５記載の小型ファンユニット。
【請求項１８】
ケーシング（１０）を有し、位置決め磁石（８）の各々は、ケーシング（１０）のポケット状収容部（１２）に配置されている、請求項１から１７までのいずれか１項記載の小型ファンユニット。
【請求項１９】
位置決め磁石（８）は、ロータマグネット（２８）の軸長の中央に配置されている、請求項１８記載の小型ファンユニット。
【請求項２０】
ステータを電気接続するための接続装置（４４）が設けられている、請求項１から１９までのいずれか１項記載の小型ファンユニット。
【請求項２１】
接続装置（４４）は接点セット（Ｋ）を有し、
該接点セット（Ｋ）は、複数の選択的に使用可能な接点要素（Ｋ１〜Ｋ６）を備え、
接点要素（Ｋ１〜Ｋ６）は場合により折曲げることにより適用に応じ各専用の接続位置にもたらすことができる、請求項２０記載の小型ファンユニット。
【請求項２２】
歯合極式ステータ（１４）のリングコイル（１６）はコイル支持体（５０）を有し、
該コイル支持体には接続ピン（Ａ２〜Ａ５）が保持されており、
接続ピン（Ａ２〜Ａ５）とはリングコイル巻線の心線ワイヤ端部（５２）が電気接続され、
接続ピン（Ａ２〜Ａ５）は、接点セット（Ｋ）の各１つの接点要素（Ｋ２〜Ｋ５）と接続され、
接点セット（Ｋ）は歯合極式ステータ（１４）を電気接続する接続装置（４４）である、請求項２０または２１記載の小型ファンユニット。
【請求項２３】
前記ロータシャフト（３０）は、ステータ側に備えたスライドベアリング（３２）に挿通されるとともに、前記ロータシャフト（３０）の自由端部は、スラストベアリング（３４）の静止部分に対して、軸方向オフセット（Ｖ）により生み出されるロータ保持力（Ｆ）によって支持されている、請求項１から２２までのいずれか１項記載の小型ファンユニット。
【請求項２４】
請求項１から２３までのいずれか１項記載の小型ファンユニットを備えたプリント配線板。
【発明の詳細な説明】
【０００１】
【発明の属する技術分野】
本発明は、ファンホイールと、該ファンホイールを駆動するブラシレス直流モータとを有する小型ファンユニットに関し、このファンユニットはとりわけプリント基板に直接配置するためのものである。特に本発明は、小型モータに関する。
【０００２】
【従来の技術】
この種のファンユニットは例えば、ドイツ実用新案登録第２９５０１６９５．７号明細書から公知である。ここでは駆動モータが、リングディスク状の永久磁石ロータを有するディスクアーマチュア型モータとして構成されている。ロータはステータに対して軸方向にずらされており、このステータに平行に配置されている。これにより、永久磁石ロータと同心ステータリングコイルとの間に平坦な空隙が形成される。ステータは円形リング状の強磁性薄板ディスクを、ロータ磁石に対する磁気帰還（回路）要素として有する。
【０００３】
【発明が解決しようとする課題】
この従来技術では、磁気補助トルクをロータ磁石と関連して形成するための強磁性補助構成が必要である。
本発明の課題は、冒頭に述べた形式の小型ファンにおいて、特に簡単で小型かつ安価に構成することである。特に本発明は、小型ファンにも用いることのできる小型モータを特に簡単で小型かつ安価に構成することに関する。
【０００４】
【課題を解決するための手段】
この課題は本発明により、直流モータは、無帰還（ｒｕｅｃｋｓｃｈｌｕｓｓｆｒｅｉ，即ち磁気帰還回路要素を有しない）永久磁石ロータを備えた、単相単巻線で歯合極式（ないし咬み合い組立て型の極）のモータ（Ｋｌａｕｅｎｐｏｌｍｏｔｏｒ）として構成されており、ロータの起動位置に作用する少なくとも１つの位置決め磁石が設けられているように構成して解決される。
なお、各請求項に付記した図面参照符号は、本発明を図示の態様に限定することを意図しない。
【０００５】
【発明の実施の形態】
従って本発明によれば、ロータ磁石の磁気的帰還回路（磁気帰還回路要素ないしヨーク鉄片）が意識的に省略される。このことにより確かに作用効率はやや低下するが、しかしこの効率は有利な適用に対してはいずれにしろ十分である。モータの起動に関しては、少なくとも１つの、有利には直径上に対向配置された２つの位置決め磁石により常にロータの起動位置が得られる。このような永久磁石は非常に安価である。主磁界と位置決め磁石の磁界との交互作用は本発明では磁気帰還回路要素がないことによって可能である。
【０００６】
さらにモータの動作状態に関しては、非常に簡単で安価な制御を使用することができる。このためにステータは、回転軸に対して同心のリングコイルと、軸方向に対向した２つの歯合磁極片（交互に咬み合い型に組立てた形式のもの）とを有し、歯合磁極片はそれぞれ例えば２つ（ないし２以上）の歯合極を備えている。歯合極はそれぞれ所属の歯合磁極片の中央部（ディスク状部）の外周端から発して軸方向に曲折して延在しており、従って交互に咬み合って組立てた場合歯合極はリングコイルの半径方向（外周）近傍に並置される。各歯合磁極片は相互に周方向に次のようにずらされている。すなわち、２つの磁極片の歯合極が周方向でそれぞれ交番するようにずらされている。このことによって歯合極は周方向に隣接するＮ極とＳ極を形成する。ここで有利には、それ自体公知にように、リングコイルを二本巻きで巻回し、作動巻線とセンサ巻線（回転数検出用巻線ないしタコジェネレータ巻線）を有するようにする。センサ巻線にはロータ磁石によってロータ位置に依存する信号が誘導される。この信号に基づいて、制御回路により作動巻線は単パルスで制御される。すなわち交互に、オン・オフ制御される。従って交番磁界は意識的に形成されない。なお、交番磁界形成ためにはフルブリッジ制御が必要となろう。制御回路はこのことによって非常に安価になり、そのコストはホールＩＣと同じくらいである。
【０００７】
本発明の歯合極式モータは同出力の円盤形電機子モータと比較して小型であり、とりわけ小さな外径として構成することができる。
【０００８】
本発明の有利な構成は従属請求項および以下の説明に記載されているが、以下に概説する。
【０００９】
直流モータは、軸方向リングコイルと軸方向に対向した２つの歯合磁極片とを備えたステータを有し、
前記歯合磁極片はそれぞれ例えば２つの歯合極を有する。
リングコイルは二重巻きで巻回されており、作動巻線とセンサ巻線を有し、制御回路が設けられており、該制御回路は、ロータ位置に依存して誘導されるセンサ巻線の信号に依存して作動巻線を単パルスで制御する。
歯合極は、少なくとも２つの、有利にはそれぞれ４つか６つ、例えば５つのスリットにより分割されている。
歯合磁極片は、ヒステリシスの小さい材料である、例えば３０から８０％ニッケルを含む軟磁性ニッケル−鉄合金からなる。
歯合磁極片は、保磁力が４から１０Ａ／ｍの領域にある材料、特に最大約８Ａ／ｍである材料からなる。
ロータは外部ロータとして構成されており、ほぼ中空円筒状の収容部分をリング状の永久磁石ロータマグネットに対して有している。
ロータマグネットは、可塑性成型可能および／または合成樹脂ボンドフェライトマグネットから形成される。
ロータはファンホイールと一体的に構成される。
ファンホイールは、実質的に半径方向に配置された羽根を備えた半径方向回転ホイールとして構成される。
ケーシングが、例えば軸方向の空気吸入口と、例えば半径方向の吹出し口とを有する。
位置決め磁石、ないしは有利には直径上に対向配置された２つの位置決め磁石の各々は、ケーシングのポケット状収容部に配置されている。
位置決め磁石は、ロータマグネットの軸長の中央に配置されている。
ステータとロータとの間に軸方向のロータ保持力を形成するため、軸方向オフセット（Ｖ）が形成されている。
ステータとロータとの間の軸方向オフセット（Ｖ）は磁気特性に依存して次のように選定されている、すなわち、ロータが軸方向加速度（ａ）により加速され、該加速度が重力加速度（ｇ）の約４から約７倍、有利には約５倍の値に相当するように選定されている。
ステータとロータとの間の軸方向オフセット（Ｖ）は、ステータの軸長の約４０から約６０％のオーダー、有利には約５０％である。
吸入口および／または吹出し口の空気流動領域には電気温度センサ、例えばＮＴＣセンサが配置されている。
ステータを電気接続するための接続装置が設けられている。
この接続装置は接点セット（Ｋ）を有し、該接点セットは、複数の選択的に使用可能な、ないしは場合により折り曲げによって適用専用の接続位置にもたらすことのできる接点要素（Ｋ１〜Ｋ６／Ｋ２〜Ｋ５）を備えている。
ステータのリングコイルはコイル支持体を有し、該コイル支持体には接続ピンが保持されており、接続ピンとは、リングコイル巻線の心線ワイヤ端部が電気接続され、接続ピンは、接点セットの各１つの接点要素と接続されている。
【００１０】
【実施例】
図面に示された同じ部材には同じ参照符号が付してあり、通常はそれぞれ一度だけ説明する。
図１および図１１からそれぞれわかるように、本発明の小型ファンユニット１はファンホイール２と、これを駆動するブラシレス直流モータ４を有する。この直流モータ４は本発明により、無帰還永久磁石ロータ６を有する単相、単巻線歯合極式モータとして構成されている。ここで図３によれば有利には、直径上に対向した２つの位置決め磁石８が設けられており、この磁石は直流モータ４の静止状態でロータ６に作用して、ロータ６を常に起動待機位置（起動位置）にもたらす。小型ファンユニット１はケーシング１０を有する。位置決め磁石８は、ケーシング１０のそれぞれのポケット状収容部１２に配置されている。これにより位置決め磁石は半径方向にロータ６の外側で、ロータ６により軸方向に覆われた領域にほぼ存在する。有利には各位置決め磁石８はロータ６の軸方向長の正確な中央に位置する。これによって軸方向振動励起および厄介なノイズが回避される。
【００１１】
さらに図１および図５〜図８からわかるように、本発明の歯合極式モータ４は、軸方向のリングコイル１６を備えたステータと、軸方向に対向する２つの歯合磁極片１８を有する。図６と図８によれば、各歯合磁極片１８は有利には直径上に対向する２つの歯合極２０を有する。各歯合極は、リング状（ディスク）に成形された薄板部材２２の外周部において略Ｕ字状に曲折して発して軸方向に延在しており、周方向に円弧状の輪郭を形成する。
【００１２】
略Ｕ字状の底部をなす中央部たる薄板部材２２の中央には、円筒状に形成したフランジ２２ａがあり、リングコイル１６の中心孔にコイル支持体５０を介して嵌装される。コイル支持体５０はリングコイル１６の両端及び中心孔を被うよう図５断面で見て略コの字型に形成されると共に、その中心孔には、薄板部材２２の円筒状フランジを圧嵌させる小突条５０ａが適当数配設されている。さらに、図５、６を参照して、コイル支持体５０の上端に設けた軸方向突起５０ｂを薄板部材２２に対応して設けた位置極めボア２２ｂに嵌合して、角度位置決めを行う。
【００１３】
この薄板部材２２にはリングコイル１６のそれぞれの端面が配置されている。これによって各歯合極２０は半径方向にリングコイル１６の外周近傍に並置され、軸方向のステータ全長をほぼ覆う。基本的に同じに構成された２つの歯合磁極片１８は軸方向に対向してリングコイル１６の両端面側に配置され、このとき周方向に相互に所定角度（ここでは９０゜）ずらされる。これにより２つの歯合磁極片１８の各歯合極２０は周方向でそれぞれ交番して組合わされる。このことによって電流がリングコイル１６を流れて励磁されると、周方向に交番するＮ／Ｓ極が、極めて簡単な構成にも拘わらず、形成される。
【００１４】
リングコイル１６は有利には二重巻きで巻回されており、これにより一方では作動巻線が形成され、他方ではセンサ巻線（回転数巻線）が形成される。これによりモータ制御のために非常に簡単で安価な制御回路を使用することができる（詳細には示さない）。この制御回路は、ロータ位置に依存して、すなわちセンサ巻線の誘導信号に依存して作動巻線を単パルスで制御する（オン／オフ制御）。
【００１５】
図６と図８によれば、有利には歯合極２０がそれぞれ少なくとも２つ、図示の場合は５つの、軸方向に延在するスリット２４により分割される。言い替えれば、ｎ≧２個のスリットが設けられている。この手段は極衝撃を低減し、渦電流損失を回避するために使用される。このことは、通常なら渦電流が誘導され得るような磁極面を分割することによって行われる。
【００１６】
歯合磁極片１８をヒステリシスの小さい材料から製作すると有利である。このことは、例えば、３０から８０％のニッケルを含んだ軟磁性ニッケル・鉄合金により達成される。とくに適するのは、“ＨＹＰＥＲＭ５０”として公知の材料である。この材料はとくにヒステリシス損失（鉄損失）が少ない。保磁力は４から１０Ａ／ｍの領域とすべきであり、とくに８Ａ／ｍを越えるべきではない。
【００１７】
さらに図１と図１１から（図９も参照）それぞれ、ロータ６が基本的に外部ロータ形に構成されていることがわかる。ロータはほぼ中空円筒状の収容部分２６をリング状の永久磁石ロータマグネット２８に対して有する。このロータマグネット２８は有利には最初から、帯状の可塑性（プラスチック）成形フェライト磁石、例えば合成樹脂重合フェライト磁石から形成することができ、半径方向の磁化と極数４を有する。
【００１８】
図示の有利な実施例（図９と図１０参照）では、ロータ６ないしロータマグネット２８に対する収容部分２６はファンホイール２と一体的に構成されている。すなわち有利にはプラスチックの形状部材として構成されている。ここでシャフト３０はセンタに形成される。図１と図１１によれば、このシャフト３０は有利にはダブルスライドベアリング３２の中を回転し、ロータ６の反対側のシャフト３０の自由端部はスラストベアリング３４に軸方向に関し支持されている。通常、シャフト３０は軸方向のロックなしでスライドベアリング３２の中を回転する。シャフト３０がスライドベアリングからスラストベアリング３４の反対方向に飛び出さないようにロータ６を保持することは、本発明では専ら磁気手段によって達成される。そのためにステータ１４とロータ６との間に軸方向オフセットＶが形成されている（図１と図１１にそれぞれ示されている）。これにより、ロータマグネット２８と歯合極２０との相互作用で軸方向のロータ保持力Ｆが形成される。軸方向オフセットＶはここでは磁気量に依存して次のように選定される。すなわち、ロータ６が軸方向加速度ａにより加速され、この加速度が重力加速度ｇのほぼ４倍から７倍、有利には約５倍の値に相応するように選定される。従ってａ≒５ｇが当てはまる。この手段によって、基本的に保護されていないロータ６が大きな軸方向衝撃の際（例えば自動車では頻繁に発生する）に軸方向にベアリングから外れるようなことが有効に阻止される。さらに本発明のこの手段によって、非常に小さな無視できるようなノイズしか形成されない。これとは反対に他の解決手段、例えば補助磁石はロータへの軸方向の振動励振により大きく顕著なノイズを形成することとなる。この実施例ではステータ１４とロータ６との間の軸方向オフセットＶは、ステータ１４ないしロータマグネット２８の軸長の約４０から約６０％のオーダーであり、有利には約５０％である。
【００１９】
図２，図９および図１０からわかるように、ファンホイール２は有利には実質的に半径方向に配置された羽根３６を有する半径方向回転ホイールとして構成されている。この羽根３６は、ロータマグネット２８に対する収容部分２６の平坦な底部に一体成形されている。図１，図２，ないし図１１，図１２のケーシング１０は軸方向に空気吸入口３８と半径方向に吹出し口４０を有する。吹出し口４０の排出角はここでは可変である。排出角はファンのほぼ全周（ないし大半）にわたって延在することができる。これは図１２に太い線により示されている。
【００２０】
図１から図４の実施例の場合、吸入口３８の空気流動領域には電気温度センサ４２が配置されている。この温度センサは例えばＮＴＣ（負の抵抗温度係数）センサとして構成することができる。本発明の小型ファンユニット１の有利な適用では、温度センサ４２は例えば自動車のエアコンディショナに対する制御回路の構成部材を形成する。
【００２１】
本発明の有利な実施例では、小型ファンユニット１はステータ１４の電気接続のため、ないしはステータのリングコイル、すなわち作動巻線とセンサ巻線の接続のため、並びに有利には温度センサ４２の接続のために専用接続装置４４を有する。接続装置４４は片側に、複数の選択的に使用できる接点要素Ｋ１〜Ｋ６（図１から図４）ないしはＫ２〜Ｋ５（図１１から図１３）を有している。これら接点要素は、場合により折曲げることにより適用に応じ各専用の接続位置にもたらすことができる。図４によれば接点要素Ｋは、吸入口３８に対向するフランジ側にピン端部４６を有する。このピン端部はプリント配線板に直接ハンダ付することができる。これらのピン端部は有利には、少なくとも２つの異なる位置に曲げることができる。すなわち片方は図示の、フランジ側に軸平行に突出する配置構成であり、または９０゜曲げられた（図１では右側へ）位置である。このようにして本発明の小型ファンユニットを選択的に、少なくとも２つの異なる配置構成で有利はプリント配線板に直接固定することができる。有利にはそのために付加的ホルダ４８が設けられる。このホルダ４８は、例えばプリント配線板の相応する開口部に挿入され、例えば係止することができる。
【００２２】
接続装置４４は他方では、有利には４つの接続ピンＡ２〜Ａ５を有する。これら接続ピンは、ステータ１４のリングコイル１６のコイル支持体５０に保持される。このコイル支持体は有利にはプラスチック形状部材として構成されている。とくに図７からわかるように、接続ピンＡ２〜Ａ５には２つのリングコイル巻線の巻線ワイヤ端部５２が有利にはラッピング、ハンダ付または溶接により接続されている。さらに接続ピンＡ２〜Ａ５は接点セットＫの接点要素Ｋ２〜Ｋ５のそれぞれ１つと、例えば差込み接続されている。接続ピンＡ２〜Ａ５は相互に平行に、ロータ軸および接点セットＫの接点要素に対して垂直に延在している。２つの外側接点要素Ｋ１とＫ６は、図１から図４の実施例では温度センサ４２の接続ワイヤを直接接続するために用いる。
【００２３】
本発明の小型ファンユニット１はとりわけ“プリント配線板ファン”として使用するのに適する。すなわちプリント配線板に直接配置し、これにより周辺の電気ないし電子構成部材を冷却するのに適する。択一的にまたは付加的に、小型ファンユニット１はエアコンディショナ制御部と関連して“センサ・ファン”として使用するために設けられる。
【００２４】
実際の実現実施例では、本発明の小型ファンユニット１は次の仕様構成を有するがこれは単なる例であり、これにより本発明を制限するものではない。
0004104747.tif 000002
【００２５】
本発明は、図示された実施例および記載された実施例に制限されるものではなく、本発明の枠内で同じ作用を及すすべての実施例を包括するものである。さらに本発明はこれまで請求項１に定義された構成の組合わせに制限されるものではなく、開示されたすべての個別構成の所定の特徴の任意の他の組合わせによっても定義されるものである。このことは基本的に、請求項１の各々の個別特徴を実質的に省略すること、本願の他の箇所で開示された少なくとも１つの個別特徴により置換することのできることをも意味する。請求項１については単に、本発明に対する第１の実現試行であると理解されたい。
【発明の効果】
本発明の基本構成（請求項１）により、例えばプリント配線に直接配置することが可能な、超小型の、ファンホイールと駆動ブラシレスモータを有する小型ファンユニットにおいて、特に簡単な小型かつ安価な構成が達成される。
なお、各従属請求項の構成により、さらに本文に詳述したとおり、夫々付加的効果が達成される。
【図面の簡単な説明】
【図１】本発明の小型ファンユニットの第１の実施例の軸方向断面図である。
【図２】図１の矢印方向ＩＩから見た吸入口側の平面図である（やや縮小されている）
【図３】図１の矢印方向ＩＩＩから見たフランジ側の平面図である。
【図４】図１の矢印方向ＩＶから見た側面図である。
【図５】ステータ−リングコイルの軸方向断面図である。
【図６】図５のステータ−リングコイルに対して正しい位置で取付けのために配属した歯合磁極片の相応の断面図である。
【図７】図５の矢印方向ＶＩＩから見たリングコイルの平面図である。
【図８】図６の矢印方向ＶＩＩＩから見た歯合磁極片の平面図である。
【図９】ロータ−ファンホイールユニットの軸方向断面図である。
【図１０】図９の矢印方向Ｘの平面図である。
【図１１】本発明の小型ファンユニットの第２の実施例の図１に類似の断面図である。
【図１２】図１１の矢印方向ＸＩＩから見た縮小した平面図である。
【図１３】図１２の矢印方向ＸＩＩＩから見た相応する縮小した側面図である。
【図１】
0004104747.tif 000003
【図２】
0004104747.tif 000004
【図３】
0004104747.tif 000005
【図４】
0004104747.tif 000006
【図５】
0004104747.tif 000007
【図６】
0004104747.tif 000008
【図７】
0004104747.tif 000009
【図８】
0004104747.tif 000010
【図９】
0004104747.tif 000011
【図１０】
0004104747.tif 000012
【図１１】
0004104747.tif 000013
【図１２】
0004104747.tif 000014
【図１３】
0004104747.tif 000015